【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
ビデオデータとオーディオデータとを多重化して記録媒体に記録する記録装置において、
ビデオデータおよびオーディオデータが入力されるデータ入力部と、
上記ビデオデータおよびオーディオデータの記録開始および記録停止の指示が入力される記録指示入力部と、
上記ビデオデータおよびオーディオデータを多重化し、多重化されたストリームをストリームファイルとして記録媒体に記録する記録部と、
上記ストリームファイルの属性情報を示す第１の管理情報と、上記ストリームファイルの再生方法を示す情報を含む第２の管理情報とからなる、上記記録媒体に記録される上記ストリームファイルの再生を制御するための再生管理情報を生成する管理情報生成部と
を有し、
上記管理情報生成部は、
既存の上記再生管理情報に基づき、上記記録指示入力部による上記記録開始の指示に従い上記記録媒体に記録される上記ストリームファイルに対する上記再生方法を示す情報を、上記既存の再生管理情報に含まれる所定の上記第２の管理情報に対して追記するか否かの追記可否判断を行う
ことを特徴とする記録装置。
【請求項２】
請求項１に記載の記録装置において、
上記管理情報生成部は、
上記記録指示入力部による上記記録開始の指示に従い上記記録媒体に記録される上記ストリームファイルに対する上記再生方法を示す情報を上記既存の再生管理情報に含まれる上記所定の第２の管理情報に対して追記しないと判断した場合、上記記録指示入力部による上記記録開始の指示に従い上記記録媒体に記録される上記ストリームファイルに対する上記再生方法を示す情報を含む上記第２の管理情報を新規に生成する
ことを特徴とする記録装置。
【請求項３】
請求項１に記載の記録装置において、
上記管理情報生成部は、
上記ストリームファイルの記録に伴い更新されるようにされた上記第２の管理情報のうち、最も新しく更新された該第２の管理情報を、上記所定の第２の管理情報とする
ことを特徴とする記録装置。
【請求項４】
請求項１に記載の記録装置において、
上記第１の管理情報は、
上記記録媒体に記録される上記ストリームファイルに対し、少なくとも、該ストリームファイルの再生時刻情報とアドレス情報との対応関係を示す情報が格納されたファイルからなり、
上記第２の管理情報は、
該ストリームファイルに対して再生開始点と再生終了点とを設定することにより再生区間を指定する１以上の再生区間情報が格納され、上記ストリームファイルに対する再生時刻情報を示すマーク情報が格納可能とされたファイルからなり、
上記第２の管理情報は、上記再生区間情報から上記第１の管理情報を参照することで上記ストリームファイルの再生方法を示すようにされた
ことを特徴とする記録装置。
【請求項５】
請求項４に記載の記録装置において、
上記管理情報生成部による上記追記可否判断は、
上記所定の第２の管理情報に格納される上記再生区間情報の数に基づく
ことを特徴とする記録装置。
【請求項６】
請求項５に記載の記録装置において、
上記管理情報生成部は、
上記所定の第２の管理情報に既に格納された上記再生区間情報の数が予め設定された上限未満であると判断したら、
上記記録媒体に記録される上記ストリームファイルに対する上記再生方法を示す情報を、上記所定の第２の管理情報に対して追記するように上記追記可否判断を行う
ことを特徴とする記録装置。
【請求項７】
請求項４に記載の記録装置において、
上記管理情報生成部による上記追記可否判断は、
上記所定の第２の管理情報に格納される上記マーク情報の数に基づく
ことを特徴とする記録装置。
【請求項８】
請求項７に記載の記録装置において、
上記管理情報生成部は、
上記所定の第２の管理情報に既に格納された上記マーク情報の数が予め設定された上限未満であると判断したら、
上記記録媒体に記録される上記ストリームファイルに対する上記再生方法を示す情報を、上記所定の第２の管理情報に対して追記するように上記追記可否判断を行う
ことを特徴とする記録装置。
【請求項９】
請求項４に記載の記録装置において、
上記第１の管理情報は、対応する上記ストリームファイルに格納される上記ビデオデータの属性を示すビデオ属性情報をさらに格納し、
上記管理情報生成部による上記追記可否判断は、
上記第１の管理情報に格納される上記ビデオ属性情報に基づく
ことを特徴とする記録装置。
【請求項１０】
請求項９に記載の記録装置において、
上記管理情報生成部による上記追記可否判断は、
現在の記録モードに基づくビデオ属性と、上記所定の第２の管理情報から参照される上記第１の管理情報のうち少なくとも１の上記管理情報に格納されるビデオ属性とに基づきなされる
ことを特徴とする記録装置。
【請求項１１】
請求項１０に記載の記録装置において、
上記管理情報生成部は、
上記記録モードに基づくビデオ属性と、上記１の第１の管理情報に格納されるビデオ属性との間で、画枠サイズ、アスペクト比、フレームレートおよび走査方式のうち少なくとも１つが一致しない場合に、
上記記録指示入力部による上記記録開始の指示に従い上記記録媒体に記録される上記ストリームファイルに対する上記再生方法を示す情報を、上記所定の第２の管理情報に対して追記しないように上記追記可否判断を行う
ことを特徴とする記録装置。
【請求項１２】
請求項４に記載の記録装置において、
上記管理情報生成部による上記追記可否判断は、
上記所定の第２の管理情報のファイルサイズに基づく
ことを特徴とする記録装置。
【請求項１３】
請求項１２に記載の記録装置において、
上記管理情報生成部は、
１の上記ストリームファイルの記録に伴い生成される上記再生区間情報および上記マーク情報のデータサイズに基づき、１の上記ストリームファイルが記録されることで上記第２の管理情報のファイルサイズが予め設定された上限を超えないと判断したら、
上記記録媒体に記録される上記ストリームファイルに対する上記再生方法を示す情報を、上記所定の第２の管理情報に対して追記するように上記追記可否判断を行う
ことを特徴とする記録装置。
【請求項１４】
請求項４に記載の記録装置において、
上記管理情報生成部による上記追記可否判断は、
上記所定の第２の管理情報から参照される全ての上記第１の管理情報の合計ファイルサイズに基づく
ことを特徴とする記録装置。
【請求項１５】
請求項１４に記載の記録装置において、
上記管理情報生成部は、
１の上記ストリームファイルの保証された最低連続時間の記録に伴い生成される上記第１の管理情報のデータサイズに基づき、１の上記ストリームファイルが記録されることで、上記所定の第２の管理情報から参照される上記第１の管理情報の合計ファイルサイズが予め設定された上限を越えないと判断したら、
上記記録媒体に記録される上記ストリームファイルに対する上記再生方法を示す情報を、上記所定の第２の管理情報に対して追記するように上記追記可否判断を行う
ことを特徴とする記録装置。
【請求項１６】
請求項４に記載の記録装置において、
上記管理情報生成部による上記追記可否判断は、
上記所定の第２の管理情報から参照される全ての上記第１の管理情報に含まれる再生時刻情報とアドレス情報との対応関係を示す情報の数に基づく
ことを特徴とする記録装置。
【請求項１７】
請求項１６に記載の記録装置において、
上記管理情報生成部は、
１の上記ストリームファイルの保証された最低連続時間の記録に伴い生成される上記第１の管理情報に含まれる上記再生時刻情報とアドレス情報との対応関係を示す情報の数に基づき、１の上記ストリームファイルが記録されることで、上記第２の管理情報から参照される全ての上記第１の管理情報での合計が上記第２の管理情報に対して予め設けられた上限を越えないと判断したら、
上記記録媒体に記録される上記ストリームファイルに対する上記再生方法を示す情報を、上記所定の第２の管理情報に対して追記するように上記追記可否判断を行う
ことを特徴とする記録装置。
【請求項１８】
請求項４に記載の記録装置において、
上記第２の管理情報は、機器独自の情報をさらに格納可能とされ、
上記管理情報生成部による上記追記可否判断は、
上記所定の第２の管理情報に格納される上記機器独自の情報に基づく
ことを特徴とする記録装置。
【請求項１９】
請求項１８に記載の記録装置において、
上記管理情報生成部は、
上記所定の第２の管理情報に上記機器独自の情報が格納される場合に、該機器独自の情報が自機または自機と同等の機器により生成されたと判断されたら、
上記記録媒体に記録される上記ストリームファイルに対する上記再生方法を示す情報を、上記所定の第２の管理情報に対して追記するように上記追記可否判断を行う
ことを特徴とする記録装置。
【請求項２０】
請求項４に記載の記録装置において、
上記第２の管理情報は、該第２の管理情報の最終更新者を示す情報をさらに格納可能とされ、
上記管理情報生成部による上記追記可否判断は、
上記所定の第２の管理情報に格納される上記最終更新者情報に基づく
ことを特徴とする記録装置。
【請求項２１】
請求項２０に記載の記録装置において、
上記所定の第２の管理情報に上記最終更新者情報が格納される場合に、該最終更新者情報が自機を示していると判断されたら、
上記記録媒体に記録される上記ストリームファイルに対する上記再生方法を示す情報を、上記所定の第２の管理情報に対して追記するように上記追記可否判断を行う
ことを特徴とする記録装置。
【請求項２２】
請求項１に記載の記録装置において、
上記管理情報生成部は、
１または複数の項目について上記追記可否判断を行い、該追記可否判断の結果、該１または複数の項目のうち１つでも追記不可を示していれば、上記記録媒体に記録される上記ストリームファイルに対応する上記第２の管理情報を、上記所定の第２の管理情報に対して追記しないように上記追記可否判断を行う
ことを特徴とする記録装置。
【請求項２３】
請求項２２に記載の記録装置において、
上記１または複数の項目は、
上記所定の第２の管理情報に格納される再生区間情報の数と、上記所定の第２の管理情報に格納されるマーク情報の数と、上記第１の管理情報に格納されるビデオ属性情報と、上記所定の第２の管理情報のファイルサイズと、上記所定の第２の管理情報から参照される全ての上記第１の管理情報の合計ファイルサイズと、上記所定の第２の管理情報から参照される全ての上記第１の管理情報に含まれる再生時刻情報とアドレス情報との対応関係を示す情報の数と、上記所定の第２の管理情報に格納される機器独自の情報と、上記所定の第２の管理情報に格納される最終更新者情報とのうち、少なくとも１の項目を含む
ことを特徴とする記録装置。
【請求項２４】
ビデオデータとオーディオデータとを多重化して記録媒体に記録する記録方法において、
データ入力部に入力されたビデオデータおよびオーディオデータの記録開始および記録停止の指示が入力される記録指示入力のステップと、
上記ビデオデータおよびオーディオデータを多重化し、多重化されたストリームをストリームファイルとして記録媒体に記録する記録のステップと、
上記ストリームファイルの属性情報を示す第１の管理情報と、上記ストリームファイルの再生方法を示す情報を含む第２の管理情報とからなる、上記記録媒体に記録される上記ストリームファイルの再生を制御するための再生管理情報を生成する管理情報生成のステップと
を有し、
上記管理情報生成のステップは、
既存の上記再生管理情報に基づき、上記記録指示入力のステップによる上記記録開始の指示に従い上記記録媒体に記録される上記ストリームファイルに対する上記再生方法を示す情報を、上記既存の再生管理情報に含まれる所定の上記第２の管理情報に対して追記するか否かの追記可否判断を行う
ことを特徴とする記録方法。
【請求項２５】
ビデオデータとオーディオデータとを多重化して記録媒体に記録する記録方法をコンピュータ装置に実行させる記録プログラムにおいて、
上記記録方法は、
データ入力部に入力されたビデオデータおよびオーディオデータの記録開始および記録停止の指示が入力される記録指示入力のステップと、
上記ビデオデータおよびオーディオデータを多重化し、多重化されたストリームをストリームファイルとして記録媒体に記録する記録のステップと、
上記ストリームファイルの属性情報を示す第１の管理情報と、上記ストリームファイルの再生方法を示す第２の管理情報とからなる、上記記録媒体に記録される上記ストリームファイルの再生を制御するための再生管理情報を生成する管理情報生成のステップと
を有し、
上記管理情報生成のステップは、
既存の上記再生管理情報に基づき、上記記録指示入力のステップによる上記記録開始の指示に従い上記記録媒体に記録される上記ストリームファイルに対する上記再生方法を示す情報を、上記既存の再生管理情報に含まれる所定の上記第２の管理情報に対して追記するか否かの追記可否判断を行う
ことを特徴とする記録プログラム。
【請求項２６】
撮像部で被写体を撮像して得られたビデオデータと、収音部で音声を収音して得られたオーディオデータとを多重化して記録媒体に記録する撮像装置において、
被写体を撮像してビデオデータを出力する撮像部と、
音声を収音してオーディオデータを出力する収音部と、
上記ビデオデータおよび上記オーディオデータを多重化し、多重化されたストリームをストリームファイルとして記録媒体に記録する記録部と、
上記ビデオデータおよび上記オーディオデータの上記記録媒体への記録開始および記録停止を指示するユーザ操作を受け付ける操作部と、
上記ストリームファイルの属性情報を示す第１の管理情報と、上記ストリームファイルの再生方法を示す情報を含む第２の管理情報とからなる、上記記録媒体に記録される上記ストリームファイルの再生を制御するための再生管理情報を生成する管理情報生成部と
を有し、
上記管理情報生成部は、
既存の上記再生管理情報に基づき、上記操作部に対する上記ユーザ操作に応じた上記記録開始の指示に従い上記記録媒体に記録される上記ストリームファイルに対する上記再生方法を示す情報を、上記既存の再生管理情報に含まれる所定の上記第２の管理情報に対して追記するか否かの追記可否判断を行う
ことを特徴とする撮像装置。
【請求項２７】
撮像部で被写体を撮像して得られたビデオデータと、収音部で音声を収音して得られたオーディオデータとを多重化して記録媒体に記録する撮像装置の撮像方法において、
撮像部で被写体を撮像して得られたビデオデータと、収音部で音声を収音して得られたオーディオデータとを多重化し、多重化されたストリームをストリームファイルとして記録媒体に記録する記録のステップと、
操作部に対する上記ビデオデータおよび上記オーディオデータの上記記録媒体への記録開始および記録停止を指示するユーザ操作を受け付けるステップと、
上記ストリームファイルの属性情報を示す第１の管理情報と、上記ストリームファイルの再生方法を示す情報を含む第２の管理情報とからなる、上記記録媒体に記録される上記ストリームファイルの再生を制御するための再生管理情報を生成する管理情報生成のステップと
を有し、
上記管理情報生成のステップは、
既存の上記再生管理情報に基づき、上記操作部に対する上記ユーザ操作に応じた上記記録開始の指示に従い上記記録媒体に記録される上記ストリームファイルに対する上記再生方法を示す情報を、上記既存の再生管理情報に含まれる所定の上記第２の管理情報に対して追記するか否かの追記可否判断を行う
ことを特徴とする撮像方法。
【請求項２８】
撮像部で被写体を撮像して得られたビデオデータと、収音部で音声を収音して得られたオーディオデータとを多重化して記録媒体に記録する撮像装置の撮像方法をコンピュータ装置に実行させる撮像プログラムにおいて、
上記撮像方法は、
撮像部で被写体を撮像して得られたビデオデータと、収音部で音声を収音して得られたオーディオデータとを多重化し、多重化されたストリームをストリームファイルとして記録媒体に記録する記録のステップと、
操作部に対する上記ビデオデータおよび上記オーディオデータの上記記録媒体への記録開始および記録停止を指示するユーザ操作を受け付けるステップと、
上記ストリームファイルの属性情報を示す第１の管理情報と、上記ストリームファイルの再生方法を示す情報を含む第２の管理情報とからなる、上記記録媒体に記録される上記ストリームファイルの再生を制御するための再生管理情報を生成する管理情報生成のステップと
を有し、
上記管理情報生成のステップは、
既存の上記再生管理情報に基づき、上記操作部に対する上記ユーザ操作に応じた上記記録開始の指示に従い上記記録媒体に記録される上記ストリームファイルに対する上記再生方法を示す情報を、上記既存の再生管理情報に含まれる所定の上記第２の管理情報に対して追記するか否かの追記可否判断を行う
ことを特徴とする撮像プログラム。